(57)【要約】【課題】キャンバス等の開閉体手段をより円滑に収納できるようにする。【解決手段】キャンバス１０９は巻取パイプ１１０に巻き取られることによって、アーム１０５，１０６がほぼ伸長した状態から折れ曲がるなどにより収納され、それに応じて前枠３３０もアーム支持１０８側に移動する。このときに、移動中の前枠３３０を前枠ガイド３００、前枠３００に設けられた滑り部３３８及びガイド規制部３３３によって、所定の位置に位置決めする。これによって収納時にキャンバス支持前枠１０８又はボックス型前枠１１５がアーム支持枠１０３、巻取パイプ１１０及び上部カバー１１２に対して傾斜したり、上部カバー１１２とボックス型前枠１１５が接触したり、両者が重なり合ったりするようなことがなくなり、スムースかつ円滑な収納を行なうことができるようになる。【選択図】      図３
2004270411.tif 000002
【特許請求の範囲】
【請求項１】
アーム支持手段に設けられたアーム手段の先端部に、前枠保持手段を介して支持された前枠手段に固定された開閉体手段を巻取手段に巻き取ったり、巻き戻したりすることによって前記開閉体手段の開閉動作を行なうオーニング装置において、
前記開閉体手段の巻き取りに伴い前記アーム手段が収納される時に、前記前枠手段と前記アーム支持手段とのそれぞれ対向する部分に、前記前枠手段を所定の位置に位置決めするためのガイド手段を備えたことを特徴とするオーニング装置。
【請求項２】
請求項１において、前記ガイド手段は、
前記アーム手段を所定の角度で前記アーム支持手段に固定するアームブラケット手段上に設けられ、前記収納時に前記前枠手段の一部分に接触しながら前記前枠手段全体を移動させる前枠ガイド手段と、
前記前枠手段上に設けられ、前記前枠手段が前記前枠ガイド手段に対して接触移動する範囲を規制する移動規制部と
から構成されることを特徴とするオーニング装置。
【請求項３】
請求項２において、前記前枠手段は、
前記前枠保持手段を介して支持され、前記開閉体手段を固定すると共に前記前枠ガイド手段に接触移動する部分を備えた前枠本体手段と、
前記前枠本体手段に前記前枠保持手段を覆うように設けられ、前記移動規制部を備えた前枠カバー手段と
から構成されることを特徴とするオーニング装置。
【請求項４】
請求項１、２又は３において、前記前枠保持手段は、前記アーム手段の取り付け角度が変化した場合でも、前記収納時における前記ガイド手段同士の位置関係がほぼ同じとなるように前記アーム手段に対する前記前枠手段の取り付け角度を調整する調整手段を備えたことを特徴とするオーニング装置。
【請求項５】
請求項１、２、３又は４において、前記収納時に前記アーム手段に接触して停止させることによって、前記アーム手段が前記巻取手段及び前記巻取手段に巻き取られた前記開閉体手段に接触しないようにするアームストッパー手段を備えたことを特徴とするオーニング装置。
【発明の詳細な説明】
【０００１】
【発明の属する技術分野】
本発明は、店頭などにおいて、日除けや雨除けなどのために開閉体を、開閉動作することで張設・保持・収納するオーニング装置に係り、特に開閉体収納時における各部材の納まりに改良を加えたオーニング装置に関するものである。
【０００２】
【従来の技術】
図１は、従来のオーニング装置の構成を示す概略図である。オーニング装置は、図１に示すように、例えば、店舗や住宅家屋などの建物の外壁等に取付ブラケット１０１を介して取り付けられる。なお、図１では、オーニング装置の左側だけを透視図として示し、示された左側だけの構成について説明を行なうが、同様の構成のものが右側にも存在することは言うまでもないので、その説明は省略する。取付ブラケット１０１は、上辺が長く、中辺と下辺が同じ長さをしたＥ字形をしている。このＥ字形の取付ブラケット１０１の中辺と下辺との間に角柱形状のアーム支持枠１０３がボルトとナットによって締め付け固定されている。このアーム支持枠１０３の左右両端近傍であって、取付ブラケット１０１の内側には、位置２自由度を有するリンク方式の関節アーム１０５，１０６がアームブラケット１０７を介して取り付けられている。関節アーム１０５の一端と関節アーム１０６の一端は、関節部材を介して回転自在に結合されている。
【０００３】
関節アーム１０５の他端は関節部材を介してアームブラケット１０７に結合され、関節アーム１０６の他端は関節部在を介してキャンバス支持前枠１０８に回転自在に結合されている。なお、図示しないが、関節アーム１０５，１０６の内部には、関節アーム１０５，１０６を伸張させるような付勢力を作用させる引張コイルスプリングなどの弾性体を有する。従って、左右に取り付けられた関節アームによって、キャンバス支持前枠１０８には常に前方に向かって伸張しようとする付勢力が加わることになる。キャンバス支持前枠１０８は、日除け又は雨覆いとなる合成繊維製布地のキャンバス１０９の一端側が取り付けられる。キャンバス１０９の他端側は、巻取パイプ１１０に巻き回されている。巻取パイプ１１０は、アーム支持枠１０３の両端部に取り付けられたエンドブラケット１１１に回動自在に支持されている。
【０００４】
巻取パイプ１１０は、中空パイプ形状をしている。オーニング装置が電動で開閉を行なう場合には、巻取パイプ１１０のいずれか一方の端部に、駆動源としての回転モータが内装される。なお、回転モータは巻取パイプ１１０内にあるので図示していない。回転モータの本体外側と巻取パイプ１１０の内側とが固定され、回転モータの出力軸がエンドブラケット１１１に回転しないようにボルトなどで固定されている。従って、回転モータが正方向に回転することによって、キャンバス１０９は繰り出されるように動作し、逆方向に回転することによってキャンバス１０９は巻き取られるように動作する。すなわち、回転モータを正逆方向に回転させることによって開閉体であるキャンバス１０９の開閉動作を制御している。
【０００５】
カバープレートは、上部カバー１１２と左右両端の側カバー１１３，１１４とで構成される。上部カバー１１２は、前縁が下向きに湾曲し、その断面形状が略Ｊ字状に形成された湾曲したアルミ合金などを素材とする板材で構成され、両端近傍における下面が取付ブラケット１０１（右側にも取付ブラケットが存在するがカバープレートに隠れていて図示されていない）の上端に固定されて、巻取パイプ１１０とこれに巻回されるキャンバス１０９を上方より覆い、かつ、側カバー１１３，１１４にて左右の外側面側を覆うようになっている。なお、この上部カバー１１２は、左右幅方向に長尺なことからそのたわみを防止するために、略Ｌ字形状のサポートブラケットが略中間位置に設けられ、上部カバー１１２を支持するようになっている。なお、このサポートブラケットについては図示を省略してある。
【０００６】
このようなオーニング装置は、日除けなどとしての機能をもたせることから、通常、屋外に配設されるものである。そのため、キャンバス１０９を巻取パイプ１１０に巻き取った状態では、巻き取られた状態のキャンバス１０９と屈曲されたアーム１０５，１０６とキャンバス支持前枠１０８が、建物壁面に表出状態で位置する構造となる。従って、キャンバス１０９を張設していない、すなわち日除けなどとして使用していない状態では、軒先にオーニング装置の機構部分などが目視されることとなり、外観上好ましくない。さらに、キャンバス１０９の一端側縁部分は常に風雨及び太陽光に晒されることから、日焼け等を起こし、その一端側縁部分のみ色彩が褪せるなどの不具合が生じるので、キャンバス１０９が巻き取られた状態で、キャンバス１０９を前面より覆い隠し、また、機構部分等の隠蔽を行うことを可能としたオーニング装置が提案されている。このようなオーニング装置として特許文献１に記載されたものがある。
【特許文献１】
特開２０００−１２０２４２号公報
【０００７】
【発明が解決しようとする課題】
【０００８】
特許文献１に記載されたものは、上部カバー１１２の前縁下部に開閉自在のカバープレートを設けたものであり、巻取パイプに巻回され収納されているキャンバスを、前面側からカバープレートにて覆い隠すので、アームの屈曲状態によって巻取パイプに巻き取ることのできないキャンバスの先端縁側を覆い隠すことができ、直接風雨や太陽光に晒されることもなくなり、これにより、キャンバスの先端部側のみの色褪せなどの不具合を起こすことを防止するという優れた効果がある。
【０００９】
特許文献１のような揺動可能なカバープレートを設けるものの他に、キャンバス支持前枠を図２に示すようなボックス型前枠１１５とし、キャンバス収納時には上部カバー１１２と前枠１１５が一体となって全体的に収納ボックスを形成するように構成されたボックスタイプのオーニング装置が提案されている。
【００１０】
特許文献１に記載されたようなオーニング装置もボックスタイプのオーニング装置も取付施工時にはアーム支持枠１０３、巻取パイプ１１０、上部カバー１１２、キャンバス支持前枠１０８又はボックス型前枠１１５がほぼ平行となるように関節アーム１０５，１０６及びアームブラケット１０７などの取付角度などを調整し、キャンバス支持前枠１０８又はボックス型前枠１１５が収納された時の外部からの見栄えがよくなるようにしている。
【００１１】
ところが、このようなオーニング装置は、繰り出して張設・保持動作や繰り戻し収納動作を長期間繰り返したり、張設・保持の状態で風圧や積雪などによって、収納時にキャンバス支持前枠１０８又はボックス型前枠１１５がアーム支持枠１０３、巻取パイプ１１０及び上部カバー１１２に対して傾斜した状態となり、その傾斜角度が大きくなると上部カバー１１２とボックス型前枠１１５が接触したり、両者が重なり合ったりして、スムースな収納に支障をきたすおそれがある。
【００１２】
この発明は、上述の点に鑑みてなされたものであり、キャンバス等の開閉体手段をより円滑に収納することができるオーニング装置を提供することを目的とする。
【００１３】
【課題を解決するための手段】
請求項１に係るオーニング装置は、アーム支持手段に設けられたアーム手段の先端部に、前枠保持手段を介して支持された前枠手段に固定された開閉体手段を巻取手段に巻き取ったり、巻き戻したりすることによって前記開閉体手段の開閉動作を行なうオーニング装置において、前記開閉体手段の巻き取りに伴い前記アーム手段が収納される時に、前記前枠手段と前記アーム支持手段とのそれぞれ対向する部分に、前記前枠手段を所定の位置に位置決めするためのガイド手段を備えたものである。開閉体手段であるキャンバスが巻取手段に巻き取られることによって、アーム手段は例えばほぼ伸長した状態から折れ曲がるなどにより収納され、それに応じて前枠手段もアーム支持手段側に移動する。このときに、移動中の前枠手段はガイド手段によって、所定の位置に位置決めされるようになるので、開閉体手段の円滑な収納が可能となる。なお、アーム手段は、伸長した状態から折れ曲がるものであっり、アーム自体が回転移動することによって前枠手段を移動させるものであったり、アーム自体が伸縮するものであってもよい。
【００１４】
請求項２に係るオーニング装置は、請求項１において、前記ガイド手段は、前記アーム手段を所定の角度で前記アーム支持手段に固定するアームブラケット手段上に設けられ、前記収納時に前記前枠手段の一部分に接触しながら前記前枠手段全体を移動させる前枠ガイド手段と、前記前枠手段上に設けられ、前記前枠手段が前記前枠ガイド手段に対して接触移動する範囲を規制する移動規制部とから構成されるものである。これは、ガイド手段の構成に関するものである。ガイド手段は、アーム支持手段側のアームブラケット手段上に設けられる前枠ガイド手段と、前枠手段上にその一部分を利用して設けられた移動規制部とから構成される。開閉体手段が巻取手段に巻き取られ、アーム手段が例えばほぼ伸長した状態から折れ曲がるなどにより収納され、それに応じて前枠手段がアーム支持手段側に移動するときに、移動中の前枠手段の一部分が前枠ガイド手段に接触しながら移動する。このとき、移動規制部によって前枠手段の移動が規制され、その位置に位置決め固定される。これによって、前枠手段は常に同じ位置又は略同じ位置に位置決め固定されるようになる。なお、請求項２では、前枠ガイド手段をアーム支持手段側に設け、前枠ガイド手段に接触する部分を前枠手段とし、移動規制部を前枠手段に形成しているが、同様のものを逆に設けてもよい。
【００１５】
請求項３に係るオーニング装置は、請求項２において、前記前枠手段は、前記前枠保持手段を介して支持され、前記開閉体手段を固定すると共に前記前枠ガイド手段に接触移動する部分を備えた前枠本体手段と、前記前枠本体手段に前記前枠保持手段を覆うように設けられ、前記移動規制部を備えた前枠カバー手段とから構成されるものである。これは、前枠手段を前枠本体手段と前枠カバー手段とで分割可能に構成したものである。このように前枠手段を分割することによって、前枠カバー手段だけを後付けしたり、また施行後に取り外したりすることができ、施行時の前枠保持手段のアーム角度調整などを容易に行うことができる。なお、この発明では前枠手段を２分割する場合について言及しているが、これよりも多い３分割以上としてもよいことは言うまでもない。
【００１６】
請求項４に係るオーニング装置は、請求項１、２又は３において、前記前枠保持手段は、前記アーム手段の取り付け角度が変化した場合でも、前記収納時における前記ガイド手段同士の位置関係がほぼ同じとなるように前記アーム手段に対する前記前枠手段の取り付け角度を調整する調整手段を備えたものである。アーム手段は、その張り出し角度を例えば、約１５°〜４５°等のある範囲で設定・変更することが可能である。従って、この張り出し角度を変更した場合に、ガイド手段同士の位置関係が微妙にズレてしまうので、調整手段によってアーム手段に対する前枠手段の取り付け角度を調整して、そのズレを補正・吸収し、ガイド手段同士の位置関係が常に同じ又はほぼ同じになるようにした。
【００１７】
請求項５に係るオーニング装置は、請求項１、２、３又は４において、前記収納時に前記アーム手段に接触して停止させることによって、前記アーム手段が前記巻取手段及び前記巻取手段に巻き取られた前記開閉体手段に接触しないようにするアームストッパー手段を備えたものである。これは、アームストッパー手段を用いて収納時のアーム手段を接触停止させるものである。アーム手段がアームストッパー手段に接触停止することによって、アーム手段を所定位置に位置決めすることができる。また、巻取手段に巻き取られている開閉体手段に収納時のアーム手段が接触することを防止するので、開閉体手段を傷めることを防止する。
【００１８】
【発明の実施の形態】
以下、添付図面に従って本発明に係るオーニング装置の好ましい実施の形態について説明する。この実施の形態ではボックスタイプのオーニング装置を例に説明する。図３は、本発明に係るオーニング装置の外観の概略を示す図である。図３において、図１及び図２と同じ構成のものには同一の符号が付してあるので、その説明は省略する。本発明に係るオーニング装置で採用した新しい点は、アームブラケット１０７に前枠ガイド３００を設け、アーム支持枠１０３にアームストッパー３１０及び巻取サポート３２０を設け、ボックス型前枠３３０を２分割構成とし、このボックス型前枠３３０とアーム１０６の接続部に角度調節可能な前枠金具３４０を設けた点である。なお、キャンバス１０９に隠れた部分に存在するアームブラケット及びアームストッパについては、図示を省略してある。また、前枠金具３４０については点線で示してある。
【００１９】
図４は、前枠ガイド３００の詳細構成を示す図であり、図４（Ａ）は、前枠ガイド３００を上部カバー１１２側から見た上面図であり、図４（Ｂ）は前枠ガイド３００を側カバー１１３側から見た側面図である。図５は、前枠ガイド３００がアームブラケット１０７に取り付けられた状態の詳細を示す図である。前枠ガイド３００は、ボックス型前枠３３０を収納するときに、適正な納まり位置を確保するものである。前枠ガイド３００は、ボックス型前枠３３０に形成された勘合部と共に連動することによってボックス型前枠３３０を適正な位置に収納するものである。
【００２０】
前枠ガイド３００は、全体形状がカタカナの「イ」の字形をした金属製のガイドベース３０１と、このガイドベース３０１の「イ」の字形の中の「ノ」の字形をした部分を全体的に覆うように滑りのよいプラスチック製のガイドキャップ３０２がタッピネジ３０３，３０４によってガイドベース３０１に取り付けられている。ガイドベース３０１は、鉤形突起部３０６，３０７を備え、この部分がアームブラケット１０７の上面部に形成された同じような鉤形突起部１０７１，１０７２に係合するようになっている。この互いの鉤形突起部３０６，３０７，１０７１，１０７２で係合した状態を保持するように、タッピンねじ３０５が鉤形突起部１０７２にネジ止めされ、ガイドベース３０１がアームブラケット１０７に固定されるようになっている。アームブラケット１０７の構成は、鉤形突起部１０７１，１０７２を除けば、従来から公知のものなので、その詳細説明は省略する。
【００２１】
図６は、ボックス型前枠３３０の詳細構成を示す図である。図７は、図３のオーニング装置を側カバー１１３側から見た側面図である。なお、取付ブラケット１０１について図示を省略してある。このボックス型前枠３３０は、前枠本体３３１と前枠カバー３３２の２ピースで構成されており、勘合部３３６にネジ３３７を介して一体的に結合される。前枠本体３３１の下側に設けられた凹部３３５が前枠金具３４０の前枠金具ホルダー３４１と勘合するようになっている。前枠本体３３１の上側には、キャンバス１０９の端部１０９１を挿入することによって保持する保持部３３４を有する。このようにボックス型前枠３３０は、前枠本体３３１と前枠金具３３０とは結合した状態であっても前枠カバー３３２だけを後付けしたり、また施行後に取り外したりすることができるようになっている。これによって、施行時の前枠金具３３０のアーム角度調整を容易に行うことができる。なお、この実施の形態では、２ピースに分割する場合について説明しているが、３分割、４分割などのようにこれよりも多くのピースに分割するようにしても良い。
【００２２】
前枠カバー３３２のほぼ中央付近には、ガイドキャップ３０２の下側に沿ってボックス型前枠３３０を所定位置に位置決めするためのガイド規制部３３３が設けられている。このガイド規制部３３３は、ガイドキャップ３０２の下側の形状と一致するような形状をしている。また、前枠本体３３１の左下側は、所定の半径で丸められた滑り部３３８を有する。この滑り部３３８が収納時にガイドキャップ３０２に接触し、その表面に沿って滑り移動すると共にガイドキャップ３０２の下側もガイド規制部３３３に沿って滑り移動する。そして、ガイドキャップ３０２の下側の形状とガイド規制部３３３の形状と一致した時点で、滑り移動を規制し、もはや滑り移動しなくなり、ボックス型前枠３３０は常に所定の位置で停止し、位置決め固定されることになる。
【００２３】
図８は、前枠金具３４０の詳細構成を示す図である。図８（Ａ）は、前枠金具３４０をボックス前枠３３０側から見た正面図であり、図８（Ｂ）は、図８（Ａ）の側面図である。前枠金具３４０は全体的にＴの字形をしており、前枠金具ホルダー３４１、フロントプロファイルホルダー３４２及びアンダーアームアダプターブロック３４３から構成される。前枠金具ホルダー３４１は、前枠本体３３１の下側に設けられた凹部３３５に挿入され、フロントプロファイルホルダー３４２と共に六角袋ナット３４４，３４５によって締め付けられることによって、前枠本体３３１とフロントプロファイルホルダー３４２とを結合する。フロントプロファイルホルダー３４２とアンダーアームアダプターブロック３４３は、フロントプロファイルホルダーピン３４６を介して回転自在に結合されている。アンダーアームアダプターブロック３４３は、六角袋ナット３４７によって関節アーム１０６の先端に取り付けられる。アンダーアームアダプターブロック３４３の上側には、一方の端がフロントプロファイルホルダー３４２の表面に接触するような六角穴付き止めネジ３４８が設けられている。この六角穴付き止めネジ３４８は、その回転量に応じて図８（Ｂ）に示すようなアンダーアームアダプターブロック３４３からフロントプロファイルホルダー３４２に向かう方向の突出量を変更することができるようになっている。この突出量を変更することによって、フロントプロファイルホルダーピン３４６を中心とするアンダーアームアダプターブロック３４３とフロントプロファイルホルダー３４２との間の交差角を可変にできる。この交差角を調整することによって、関節アーム１０６に対するボックス型前枠３３０の取り付け角度を調整することができる。アームブラケット１０７によって関節アーム１０５，１０６の張り出し角度を１５°〜４５°の範囲で設定することによってガイドキャップ３０２とガイド規制部３３３との位置が微妙にズレてしまうので、そのズレを吸収するために関節アーム１０６に対するボックス型前枠３３０の取り付け角度を微調整できるようにしてある。
【００２４】
図９は、アーム支持枠１０３に取り付けられるアームストッパー３１０の詳細構成を示す図である。アームストッパ３１０は、ストッパー本体３１１及びアームクッション３１２から構成され、六角ボルト３１３及び六角ナット３１４によってアーム支持枠１０３に固定的に取り付けられる。アームクッション３１２は、ストッパ本体３１１の凹型円筒状曲面をした部分に貼り付けられている。このアームクッション３１２に収納時の関節アーム１０５が接触し停止するようになっている。関節アーム１０５がアームストッパー３１０に接触停止することによって、巻取パイプ１１０に巻き取られているキャンバス１０９と収納時の関節アーム１０５とが接触することを防止し、キャンバス１０９の損傷を防止するという効果がある。
【００２５】
巻取サポート３２０は、２ピース構造をしており、取り付け取り外し及びメンテナンスが容易であり、巻取パイプ１１０の周囲に沿ったＣ形をしており、巻取パイプ１１０のたわみやはずれ等を防止し、また、巻取パイプ１１０に巻き取られたキャンバス１０９の巻くずれ等を抑制している。巻取サポート３２０は、キャンバス１０９及び巻取パイプ１１０との接触する部分に樹脂製で出来ており、キャンバス１０９の耐久性を高めることのできる構造となっている。
【００２６】
なお、上述の実施の形態では、前枠ガイド３００をアームブラケット１０７に設け、滑り部３３８とガイド規制部３３３を前枠３３０に設ける場合について説明したが、前枠ガイドのようなものを前枠３３０側に設け、ガイド規制部や滑り部のようなものをアームブラケット側に設けてもよい。また、前枠ガイド３００側に滑り部３３８の滑り移動を規制するガイド規制部を設けてもよい。さらに、アームストッパー３１０に関節アーム１０５を位置決め固定するような手段を設けてもよい。開閉体は、キャンバス等のスクリーン状のものやネット状のもの、すだれ状のもの等でもよい。
【００２７】
上述の実施の形態によれば、収納時にキャンバス支持前枠１０８又はボックス型前枠１１５がアーム支持枠１０３、巻取パイプ１１０及び上部カバー１１２に対して傾斜したり、上部カバー１１２とボックス型前枠１１５が接触したり、両者が重なり合ったりするようなことを防止し、スムースかつ円滑な収納を行なうことができるようになる。また、長期間の使用によって前枠が傾斜したりした場合でも収納時の納まりが良くなり、外観上の見栄えがよくなるという副次的な効果もある。
【００２８】
【発明の効果】
以上説明したように本発明のオーニング装置によれば、キャンバス等の開閉体手段をより円滑に収納することができるという効果がある。
【図面の簡単な説明】
【図１】従来のオーニング装置の構成を示す概略図である。
【図２】キャンバス支持前枠にボックス型前枠を使用した従来のオーニング装置の概略図である。
【図３】本発明に係るオーニング装置の外観の概略を示す図である。
【図４】図３の前枠ガイドの詳細構成を示す図である。
【図５】図３の前枠ガイドがアームブラケットに取り付けられた状態の詳細を示す図である。
【図６】図３のボックス型前枠の詳細構成を示す図である。
【図７】図３のオーニング装置を側カバー１１３側から見た側面図である。
【図８】図３の前枠金具の詳細構成を示す図である。
【図９】図３のアーム支持枠に取り付けられるアームストッパーの詳細構成を示す図である。
【符号の説明】
２０１…取付ブラケット
２０３…アーム支持枠
２０５，２０６…関節アーム
２０７…アームブラケット
２０８…前枠
２０９…キャンバス
２１０…巻取パイプ
２１１…エンドブラケット
【図１】
2004270411.tif 000003
【図２】
2004270411.tif 000004
【図３】
2004270411.tif 000005
【図４】
2004270411.tif 000006
【図５】
2004270411.tif 000007
【図６】
2004270411.tif 000008
【図７】
2004270411.tif 000009
【図８】
2004270411.tif 000010
【図９】
2004270411.tif 000011